(57)【要約】      （修正有）【課題】電子機器本体に着脱可能なスタンドにコード巻き付け部を設けて、不使用時にヘッドホン等電子機器本体に接続されている装置のコードを巻き付けて携帯や収納に便ならしめる。【解決手段】電子機器本体２に着脱可能なスタンド３を備えた電子機器１であって、スタンドは、電子機器本体を保持する保持部３１・３２・３３と、自立用脚と、コード巻き付け部とを備える。保持部は、ほぼ平板状の主面部３１と主面部の上下両端から前方へ向けて突出し弾性を有する保持腕３２、３３とを有し、下側保持腕３３の先端に形成された係合突起３３２が電子機器本体の下面に形成された係合溝に係合し、上側保持腕３２の先端に形成された引っ掛け突起３２２が電子機器本体の上面の前側稜線部２１３ａ又は後側稜線部と係合して、スタンドに電子機器本体を保持する。【選択図】図１
2008227180.tif 000002
【特許請求の範囲】
【請求項１】
電子機器本体に着脱可能に取り付けることを得る電子機器用スタンドであって、
電子機器本体を着脱可能に保持する保持部と、
自立用脚と、
コード巻き付け部とを備えた
ことを特徴とする電子機器用スタンド。
【請求項２】
前記コード巻き付け部にはコードの脱落防止用のフランジが周縁部から突出され、
前記自立用脚は、前記コード巻き付け部に収納位置と自立位置との間を移動可能に設けられると共に、収納位置において、前記フランジの一部を成すように位置する
ことを特徴とする請求項１に記載の電子機器用スタンド。
【請求項３】
前記保持部は電子機器本体の一側面に形成される係合溝に係合する係合突起と前記一側面と反対側の面の稜線に引っ掛かる突起とを有する
ことを特徴とする請求項１に記載の電子機器用スタンド。
【請求項４】
前記自立用脚を自立位置に付勢する付勢手段を有する
ことを特徴とする請求項２に記載の電子機器用スタンド。
【請求項５】
電子機器本体の体裁面のみと接触するクッション材が設けられている
ことを特徴とする請求項１に記載の電子機器用スタンド。
【請求項６】
前記コード巻き付け部にコード保持用切欠が形成されている
ことを特徴とする請求項１に記載の電子機器用スタンド。
【請求項７】
前記コード保持用切欠が複数形成されている
ことを特徴とする請求項６に記載の電子機器用スタンド。
【請求項８】
電子機器本体に着脱可能なスタンドを備えた電子機器であって、
前記スタンドは、電子機器本体を保持する保持部と、
自立用脚と、
コード巻き付け部とを備えた
ことを特徴とするスタンドを備えた電子機器。
【請求項９】
電子機器本体は、その上面及び下面の一方に係合溝が形成されており、
前記スタンドの保持部は、上下に離間した位置から同じ方向へ突出した２つの弾性を有する腕片を備え、前記腕片の一方に電子機器本体の係合溝と係合する係合突起が形成され、前記腕片の他方の先端部に電子機器本体の前側稜線又は後側稜線と係合する突部が形成された
ことを特徴とする請求項８に記載のスタンドを備えた電子機器。
【請求項１０】
前記係合溝は、該係合溝が形成される面を前後に分ける中心線上に形成され、さらに、前記係合溝が形成される面と反対側の面はほぼ前後対称の形状を有する部分を備える
ことを特徴とする請求項９に記載のスタンドを備えた電子機器。
【発明の詳細な説明】
【技術分野】
【０００１】
本発明は新規な電子機器用スタンド及びスタンドを備えた電子機器に関する。詳しくは、電子機器本体に着脱可能なスタンドにコード巻き付け部を設けて、不使用時にヘッドホン等電子機器本体に接続されている装置のコードを巻き付けて携帯や収納に便ならしめる技術に関する。
【背景技術】
【０００２】
携帯型液晶テレビ、携帯型オーディオ機器等の携帯型の電子機器において、デスク等の上に載置して視聴したり聴取する場合の自立手段としてスタンドがある。
【０００３】
また、携帯型電子機器には、ヘッドホンやイヤホンを接続して音声を聞くものが多く、その他にも、外部機器、例えば、スピーカ等との接続やＡＣアダプター等が接続されることがある。
【０００４】
例えば、ヘッドホンコードやイヤホンコードの場合、持ち運ぶ際には、コードを機器本体に巻き付けて収納することが多い。このような場合、例えば、鞄の中などでコードが絡んだり、ヘッドホンの本体部であるドライバ部を収納しているハウジングが振られたりするといった問題がある。コードが絡むと、次の使用時に、速やかな使用が阻害され、ヘッドホンのハウジングが振られると、コードのハウジングへの挿入部（接続部）での切断事故が生じたり、また、振られたハウジングによって液晶表示部の表面が傷つけられたりするおそれがある。
【０００５】
そのため、特許文献１や特許文献２に示されるように、コードをケーシング内に巻き取り可能にしたヘッドホン装置を機器本体と同一の収納ケース内に収納して持ち運ぶようにしたり（特許文献１）、ヘッドホンのハウジング内にコードを巻き取って収納するようにしたもの（特許文献２）などが提案されている。
【０００６】
【特許文献１】特開２００６−３４５３１０号公報
【特許文献２】特開２００５−３２８４８０号公報
【発明の開示】
【発明が解決しようとする課題】
【０００７】
ところで、まず、従来のスタンドは、携帯型電子機器を単に載せるだけのものが多く、持ち運ぶ際には電子機器と別々になっていることが多い。そのため、スタンドが必要となったときに、探すのに手間取ったり、場合によっては、スタンドを紛失したりするおそれがある。
【０００８】
また、特許文献１に示された手段では、機器本体とヘッドホン装置を一緒に収納するケースが必要になり、特許文献２に示された手段では、ヘッドホンハウジングが大型化し、また、鞄の中などで、ヘッドホンハウジングが振られるという問題を解決することはできない。
【０００９】
そこで、本発明は、上記した問題に鑑み、電子機器本体に着脱可能なスタンドにコード巻き付け部を設けて、不使用時にヘッドホン等電子機器本体に接続されている装置のコードを巻き付けて携帯や収納に便ならしめることを課題とする。
【課題を解決するための手段】
【００１０】
本発明電子機器用スタンドは、前記した課題を解決するために、電子機器本体に着脱可能に取り付けることを得る電子機器用スタンドであって、電子機器本体を着脱可能に保持する保持部と、自立用脚と、コード巻き付け部とを備えたものである。
【００１１】
また、本発明電子機器は、前記した課題を解決するために、電子機器本体に着脱可能なスタンドを備えた電子機器であって、前記スタンドは、電子機器本体を保持する保持部と、自立用脚と、コード巻き付け部とを備えたものである。
【発明の効果】
【００１２】
本発明にあっては、スタンドを保持部によって電子機器本体に装着することができるため、携帯や収納時に電子機器本体とスタンドとがバラバラになってしまうことがなく、必要なときにスタンドを使用して自立させることができる。また、コード巻き付け部を備えているため、携帯や収納時にヘッドホン等のコードをコード巻き付け部に巻き付けておくことができ、コードが絡んだり、コードの先端に接続されているもの、例えば、ヘッドホンハウジング等が振られるという不都合を回避することができる。
【発明を実施するための最良の形態】
【００１３】
以下に、本発明電子機器用スタンド及びスタンドを備えた電子機器を実施するための最良の形態を図面を参照して説明する。
【００１４】
なお、図示した実施の形態は、本発明を携帯型液晶テレビ受像機及び携帯型テレビ受像機用スタンドに適用したものである。
【００１５】
電子機器１は、図１で分かるように、電子機器本体２と該電子機器本体２に着脱可能な電子機器用スタンド３とを備える。
【００１６】
電子機器本体２は、左右方向に横長で前後方向に扁平な外筐２１に必要な部材や部品が収納あるいは装着されて成る。外筐２１の前面部には液晶表示パネルから成る表示部２２が前方に臨んで配置され、また、外筐２１の一方の側部には操作部２３が設けられている。外筐２１の一方の側部の上下方向におけるほぼ中央部に側方及び前方へ向かって開放された配置凹部２１１内にほぼ円筒状をしたモードダイヤル２３１が所定の角度範囲で回転可能に設けられ、その他、前面及び側面に各種操作ボタン２３２が配置されている。
【００１７】
さらに、外筐２１の他方の側面には、図２で分かるように、ヘッドホンを接続するヘッドホンジャック２３３、ホールドスイッチ３４４等が配置されている。
【００１８】
図３に電子機器本体２の外筐２１の正面中央断面を示す。外筐２１の下面２１２の前後方向における中央には左右方向に延びる係合溝２１２ａが形成されている。また、外筐２１の上面２１３の前側稜線部２１３ａと後側稜線部２１３ｂとはそれぞれ前方又は後方へ向かって下がる傾斜を有し、且つ、浅い凹面に形成されている。さらに、外筐の前面２１４と後面２１５とは外筐２１の上面２１３の前後方向における中央と下面２１２の前後方向における中央とを結ぶ線２１ｃに対して前後対称の部分２１４ａ、２１５ａを有する。
【００１９】
次に、電子機器用スタンド（以下、単に「スタンド」という）について説明する。
【００２０】
先ず、スタンド３の概要を、主に図１、図２、図４を参照して説明する。
【００２１】
スタンド３は、電子機器本体２の前面又は後面のほとんどの部分を覆う大きさのほぼ板状をした主面部３１を有する。前記主面部３１の上端の中央部及び下端の中央部からは前方へ向けて突出した保持腕３２、３３が主面部３１と一体に形成されている。前記保持腕３２、３３は左右方向にある程度の幅を有する板状をしており、上下方向への撓み弾性を有している。また、これら保持腕３２、３３の主面部３１との連結部３２１、３３１は湾曲していて、保持腕３２、３３を上下方向に撓ませたときに、応力が一箇所に集中しないようになっている。そして、上側保持腕３２の先端部下面には、図２で分かるように、引っ掛け突起３２２が左右方向に延びて形成されている。前記引っ掛け突起３２２の下面部３２２ａは横断面で円弧状を為すように形成されている。また、下側保持腕３３の先端部上面には、図１で分かるように、係合突起３３２が左右方向に延びて形成されている。さらに、主面部３１の前面には適当に間隔を空けて複数、図示実施の形態では４個のクッション材３１１が突出されている。該クッション材３１１は主面部３１の材料より柔らかい材料で形成される。例えば、主面部３１がＰＰ（Ｐｏｌｙｐｒｏｐｙｌｅｎｅ）やＰＯＭ（Ｐｏｌｙｏｘｙｍｅｔｈｌｅｎｅ）で形成されている場合は、これら材料より軟質で弾性を有する材料、例えば、シリコンゴム等で形成される。また、前記クッション材３１１が形成される位置は、スタンド３を電子機器本体２の前面を覆う状態で取り付けた場合に、外筐２１の前面に対応し、且つ、表示部２２の前面や操作系のボタン２３２等に接触しない位置である。そして、外筐２１の前面２１４のうち前記クッション材３１１が接触する部分が前記前後対称の部分２１４ａであり、また、外筐２１の後面２１５のうち前記クッション材３１１が接触する部分が前記前後対称の部分２１５ａである。
【００２２】
そして、前記主面部３１と２つの保持腕３２、３３によって電子機器本体を着脱可能に保持する保持部が構成される。なお、スタンド３の電子機器本体２への着脱については、後述する。
【００２３】
前記主面部３１の後面中央部にドラム状をしたコード巻き付け部３４が形成されている。該コード巻き付け部３４は後方から見た形状が横長のトラック状をしていて、主面部３１の中央部から後方へ突出した壁状部として形成されている。前記コード巻き付け部３４には後端から側方へ張り出したフランジ部３５が形成されており、該フランジ部３５の外形は、コード巻き付け部３４とほぼ相似形の横長のトラック状をしている。前記フランジ部３５の左右両端部にはコード保持用切欠３５１が形成されている。該コード保持用切欠３５１は、ほぼ円形をした主部３５１ａと該主部３５１ａとフランジ部３５の外端との間を結ぶスリット３５１ｂとによって形成されている。また、スリット３５１ｂのフランジ部３５外端への開口部は両側縁が緩やかに湾曲して離間していくように広がっていくようになっている。そして、フランジ部３５の下部の左右方向における中央部には横長の矩形をした切欠部３６が形成されている。
【００２４】
前記コード巻き付け部３４の後端部には自立用脚３７が収納位置（図２参照）と自立位置（図４参照）との間を移動自在に設けられている。そして、収納位置においては、自立用脚３７のほぼ下半部が前記フランジ部３５の切欠部３６内に位置して、フランジ部３５の切欠部３６によって失われた部分を補完するようになる。
【００２５】
前記スタンド３が電子機器本体２に装着される様子を図５及び図６によって説明する。
【００２６】
先ず、スタンド３の下側保持腕３３の先端部に形成された係合突起３３２を電子機器本体２の外筐２１の下面２１２に形成された係合溝２１２ａに係合させ、その状態で、スタンド３を前記係合突起３３２と係合溝２１２ａとの係合点を支点として回動させて、スタンド３の上部を前方へ移動させていく。これによって、スタンド３の上側保持腕３２先端の引っ掛け突起３２２が前記外筐２１の後側稜線部２１３ｂに当接する。そこから、さらに、スタンド３の上部を前方へ移動させる力を加えると、前記引っ掛け突起３２２に後側稜線部２１３ｂから受ける反力によって、上側保持腕３２がその先端部が上方へ移動するように撓み、これによって、引っ掛け突起３２２は外筐２１の後側稜線部２１３ｂを滑り上がって外筐上面２１３と接触するようになる（図５参照）。
【００２７】
図５に示す状態から、さらに、スタンド３の上部を前方へ移動させていくと、引っ掛け突起３２２は外筐２１の上面２１３を前方へ向けて滑って行き、ついには、前側稜線部２１３ａと係合する（図６参照）。この図６に示す状態になると、主面部３１の前面に設けられたクッション材３１１が電子機器本体２の外筐２１の後面２１５の前記前後対称の部分２１５ａに当接し、これと、スタンド３の係合突起３３２と電子機器本体２の係合溝２１２ａとの係合と、スタンド３の引っ掛け突起３２２と電子機器本体２の上面２１３の前側稜線部２１３ａとの係合とによって、スタンド３は電子機器本体２から容易には外れないようになる。なお、主面部３１が外筐２１の後面２１５に当接しなくとも、スタンド３の電子機器本体２への装着は可能であるが、より安定した、装着のためには、主面部３１が外筐２１の後面２１５に当接するのが好ましい。また、主面部３１を直接外筐２１の後面２１５に当接させても構わないが、外筐２１の材料、例えば、アルミ材の表面にアルマイト加工を施したもの、より柔らかい材料でできているクッション材３１１を当接させることによって、外筐２１の体裁面の傷つき等を防止することができる。
【００２８】
電子機器本体２に装着されているスタンド３を取り外す場合は、図６に示す状態から、スタンド３の上側保持腕３２の先端を上方へ持ち上げて撓ませ、そのまま、スタンド３の上部が後方へ移動するように、スタンド３を前記係合突起３３２と係合溝２１２ａとの係合点を支点として回動させれば、図５に示す状態を経て、最後に、前記係合突起３３２を係合溝２１２ａから外す。このようにして、スタンド３を電子機器本体２から分離することができる。
【００２９】
そして、自室内など、電子機器本体２をテーブル上などに載置して使用することができる場合には、前記したように、スタンド３を電子機器本体２に装着し、且つ、スタンド３の自立用脚３７を自立位置へと回動させて、図７に示すように、電子機器１をテーブルの上面などの載置面４上に自立させることができる。
【００３０】
また、スタンド３を自立のために使用しない場合には、自立用脚３７を収納位置へと移動させた状態で、スタンド３を電子機器本体２に装着しておけば、スタンド３と電子機器本体２とがバラバラになることが無く、スタンド３の紛失などを防止することができる。また、スタンド３にはコード巻き付け部３４が設けられているので、図２に示すように、例えば、ヘッドホン５のコード５１を前記コード巻き付け部３４に巻き付けておけば、鞄の中などで、コード５１が絡み付いたり、ヘッドホン５のドライバを収納しているハウジング５２が振られたりすることが回避される。そして、コード５１をコード巻き付け部３４に巻き付けた場合において、フランジ部３５がコード５１がコード巻き付け部３４から抜け落ちることを阻止する。また、前記した収納位置にある自立用脚３７はフランジ部３５と相俟って、コード５１のコード巻き付け部３４からの脱落の阻止に寄与する。また、コード巻き付け部３４の外周及びフランジ部３５の外形はほぼトラック状をしており、角部やエッジがないので、コードの断線などが生じる虞が少ない。
【００３１】
また、コード５１をコード巻き付け部３４に単に巻き付けただけでは、巻き付けた先端部からほどけてしまうことがあるが、前記したように、フランジ部３５にコード保持用切欠３５１が形成されているので、例えば、コード５１の２個のハウジング５２に分岐している先端部５１１をスリット３５１ｂを通して主部３５１ａ内に挿入しておけば、主部３５１ａの径より遙かに大きなハウジング５２によって、コード保持用切欠３５１からの抜けが阻止される。なお、前記した実施の形態では、コード保持用切欠３５１はフランジ部３５の左右両端部に形成されているため、よりハウジング５２に近い位置でコード５１（５１１）をコード保持用切欠３５１に保持することができる。特に、（使用者の右利き、左利きの相違などによって）コード５１の巻き方向が右巻きであっても、左巻きであっても、よりハウジング５２に近い位置で保持することができる。
【００３２】
なお、前記説明では、コード巻き付け部３４に巻き付けられるコードをヘッドホン５のコード５１として説明したが、コード巻き付け部３４に巻き付けられるコードは、ヘッドホン５のコード５１に限らず、その他の電子機器本体に接続される装置のコードであっても良い。例えば、イヤホンコード、電源コード、充電用コード、その他外部機器との接続用コード等が考えられる。
【００３３】
スタンド３を使用する電子機器が前記したもののように、液晶パネルから成る表示部２２を有している場合、携行中に、表示部２２が傷つけられる惧れがある。そこで、前記電子機器１にあっては、スタンド３を電子機器本体２の前面を覆うように装着することができる。すなわち、図５及び図６で示したのと反対側から、スタンド３の下側保持腕３３の係合突起３３２を電子機器本体２の下面の係合溝２１２ａに係合し、その状態で、スタンド３の上部が後方へ移動するようにスタンド３を回動させれば、上側保持腕３２の引っ掛け突起３２２が電子機器本体２の外筐２１の後側稜線部２１３ｂと係合し、また、主面部３１に設けたクッション材３１１が外筐２１の前面２１４の前後対称の部分２１４ａに当接して（クッション材３１１が当接する位置を図１に２点鎖線で示す）、スタンド３が電子機器本体２に装着される。これによって、電子機器本体２の前面、特に、表示部２２が保護される。
【００３４】
前記したように、自立用脚３７は収納位置と自立位置との間で回動可能に構成されている。しかしながら、ただ単に、前記２つの位置を回動可能なだけでは、収納位置に保持しておいたつもりが、いつの間にか開いていたり、自立させている間に、閉じて、電子機器本体２が倒れてしまったりする危険がある。そこで、前記スタンド３にあっては、収納位置と自立位置とで、それぞれクリックストップがかかるようになっている。そのような自立用脚３７の支持構造の詳細を以下に説明する。
【００３５】
先ず、コード巻き付け部３４とフランジ部３５の詳細について説明する。図８で分かるように、前記主面部３１の後面の中央部に横長のトラック状をした壁状部３１２が形成され、該壁状部３１２の外周面がコード巻き付け部３４とされる。そして、前記壁状部３１２内の左右に離間した位置にはネジ挿通孔３１３が形成されている。さらに、前記壁状部３１２の上側部の下側にストッパ突起３１４が突設されている。
【００３６】
前記フランジ部３５には、図９で分かるように、前記コード巻き付け部３４の後面を覆う形状の中央部３５２が一体に形成されており、前記フランジ部３５と前記中央部３５２との境界部にほぼ沿って複数（図示実施形態では３個）の突出量の小さい位置決め壁３５３が前方へ向けて突出するように形成されている。また、前記中央部３５２の左右両端部には固定用ボス３５４が前方へ向けて突出され、該固定用ボス３５４には前面に開口したネジ穴３５４ａが形成されている。
【００３７】
前記位置決め壁３５３が主面部３１後面の壁状部３１２の内側に嵌合し、主面部３１の前面側からネジ挿通孔３１３を挿通された図示しない２本の固定ネジが前記固定用ボス３５４のネジ穴３５４ａに捻じ込まれ、これによって、中央部３５２及びこれと一体になっているフランジ部３５が主面部３１に固定される。
【００３８】
前記中央部３５２にはフランジ部３５の切欠３６に連続した開口部３５２ａが形成されており、該開口部３５２ａの両側縁に沿って前方へ突出した壁部３５２ｂが形成されていて、該壁部３５２ｂの上端寄りの位置に互いに対向するように支持穴３５２ｃが形成されている。また、前記壁部３５２ｂの下半部間に架け渡されるように、また、フランジ部３５の後面よりほぼ自立用脚３７の板厚分前側に位置するように、支持板３５２ｄが形成され、該支持板３５２ｄの前面に３個の支持突起３５２ｅが形成され、また、支持板３５２ｄの中央部下縁にほぼ矩形の切欠３５２ｆが形成されている。
【００３９】
自立用脚３７は、図９、図１１〜図１３で分かるように、フランジ部３５の切欠部３６から前記中央部３５２の切欠３５２ｆへと連続したほぼ縦長の矩形をした部分を補完する形状の縦長矩形の板状をした主部３７１を有する。前記主部３７１の上端寄りの位置の左右両端部からは前方へ突出した被支持腕３７２が形成され、該被支持腕３７２の前端部には外方へ突出した短い円柱状の支点軸３７２ａが形成されている。また、前記主部３７１前面の前記２つの被支持腕３７２の間で、且つ、一方、図示実施形態では前方から見て左側の被支持腕３７２に近接した位置に被作用腕３７３が前方へ向かって突設されている。前記被作用腕３７３は、図１２及び図１３で分かるように、前後方向に長く側方から見てほぼ矩形をした板状をしており、前端が円弧状をしている。そして、前端の下端部に係合切欠３７３ａが形成されている。また、前面３７３ｂと係合切欠３７３ａとの角部３７３ｃはやや前方へ突出している。さらに、前記主部３７１の前面の中央よりやや下方へ寄った位置に前方へ突出した係合片３７４が形成されている。該係合片３７４は上下方向に見てほぼ矩形の板状をしており、下端部に下方へ突出した係合爪３７５が形成されており、該係合爪３７５の先端部３７５ａは側方から見て円弧状に形成されている。
【００４０】
前記した自立用脚３７はその被支持腕３７２がフランジ部３５の中央部３５２の切欠３５２ｆの上方部に挿入され、支点軸３７２ａがフランジ部３５の中央部３５２に形成された壁部３５２ｂの支持穴３５２ｃに嵌合され、これによって、自立用脚３７は、フランジ部３５を介してコード巻き付け部３４の後部に収納位置と自立位置との間で回動自在に支持される。
【００４１】
そして、自立用脚３７が収納位置及び自立位置において不用意に回動してしまわないように、自立用脚３７をそれぞれの位置に留まるように付勢する付勢手段を有する付勢部材３８が設けられる。前記付勢部材３８は付勢手段が所定の弾性を有するように、弾性を有する樹脂材料によって、各部が一体に形成される。
【００４２】
前記付勢部材３８はフランジ部３５の中央部３５２に形成された前記支持板３５２ｄの前面に支持されるベース部３８１を有する。前記ベース部３８１は前方から見てほぼＬ字状をしており、３箇所に固定用孔３８１ａを有する。前記ベース部３８１の上端部に前方から見て左方へ突出する弾発腕３８２が突設され、該弾発腕３８２の先端部には上方へ突出した押さえ突起３８２ａが形成されている。そして、該押さえ突起３８２ａの先端は側方から見て円弧状に形成されている。また、ベース部３８１の下半部中央部は下端に開口するように切り欠かれており、該切り欠かれた部分の両側から前方へ突出した支片３８３が形成され、該２つの支片３８３の下端部の前端間をつなぐ架片３８４が形成され、該架片３８４から後方へ突出した係合爪片３８５が形成されている。前記係合爪片３８５の後端部には上方へ突出した係合爪３８５ａが形成され、該係合爪３８５ａの前端は前方へ行くに従い下方へ偏倚する傾斜面３８５ｂとなっている。
【００４３】
前記した付勢部材３８はベース部３８１に形成された固定用孔３８１ａにフランジ部３５の支持板３５２ｄに形成された支持突起３５２ｅが挿通され、支持突起３５２ｅの固定用孔３８１ａを挿通された部分をカシメ、熱溶着などして付勢部材３８がフランジ部３５の支持板３５２ｄの前面に固定される。
【００４４】
付勢部材３８が支持板３５２ｄに固定され、自立用脚３７が収納位置にある状態を前方から見た状態を示したものが図１１である。この状態で、自立用脚３７の係合爪３７５が付勢部材３８の係合爪３８５ａと図１２に示すように係合しており、従って、自立用脚３７は収納位置から不用意に移動してしまうことがない。また、自立用脚３７の被作用腕３７３はその前面３７３ｂが付勢部材３８の弾発腕３８２の押さえ突起３８２ａに接触又は近接した状態となっていて、これによっても、自立用脚３７は収納位置に保持される。
【００４５】
図１１及び図１２に示す状態から、自立用脚３７に自立位置へ向けての回動力を加えると、自立用脚３７の係合爪３７５と付勢部材３８の係合爪３８５ａとの係合によってやや抵抗はあるが、自立用脚３７の係合爪３７５の先端部３７５ａが円弧状になっているので、該円弧状の先端部３７５ａが係合爪３８５ａの先端を押して係合爪片３８５を下方へ撓ませ、これによって、係合爪３７５と係合爪３８５ａとの係合が解け、自立用脚３７は自立位置へ向けて回動できる状態となる。
【００４６】
そして、自立用脚３７が自立位置へ向けて回動していくと、被作用腕３７３の前面３７３ｂが付勢部材３８の弾発腕３８２の押さえ突起３８２ａを押して、図１１の２点鎖線に示すように撓ませていくので、自立用脚３７を回動させる力にやや抵抗を感じる。そして、付勢部材３８の弾発腕３８２の押さえ突起３８２ａが被作用腕３７３の前面３７３ｂと係合切欠３７３ａとの間の角部３７３ｃを越えると、撓んでいた弾発腕３８２に蓄えられていた力が一気に開放され、その押さえ突起３８２ａが被作用腕３７３の係合切欠３７３ａに嵌り込む力となるため、それがクリック感として、自立用脚３７を回動させていた力に対して作用し、且つ、前記したように、押さえ突起３８２ａが被作用腕３７３の係合切欠３７３ａに嵌り込んで係合するため、また、自立用脚３７の上端部が主面部３１の壁状部３１２の内側に形成されたストッパ突起３１４と当接してそれ以上の回動を阻止されるため、自立用脚３７はこの自立位置に保持される。
【００４７】
なお、自立用脚３７を収納位置へと回動させるときは、被作用腕３７３の係合切欠３７３ａと付勢部材３８の押さえ突起３８２ａとの係合を解くときにクリック感が得られ、そして、最後の段階で、自立用脚３７の係合爪３７５の先端部３７５ａが付勢部材３８の係合爪片３８５の係合爪３８５ａの傾斜面３８５ｂを押して係合爪片３８５を撓ませ、そして、前記先端部３７５ａが傾斜面３８５ｂを乗り越えて係合爪３７５、３８５ａ同士が係合するときに、クリック感が得られる。
【００４８】
前記したように、本発明電子機器用スタンドは、電子機器本体に着脱可能に取り付けることを得る電子機器用スタンドであって、電子機器本体を着脱可能に保持する保持部と、自立用脚と、コード巻き付け部とを備えたものである。
【００４９】
従って、本発明電子機器用スタンドにあっては、スタンドを保持部によって電子機器本体に装着することができるため、携帯や収納時に電子機器本体とスタンドとがバラバラになってしまうことがなく、必要なときにスタンドを使用して自立させることができる。また、コード巻き付け部を備えているため、携帯や収納時にヘッドホン等のコードをコード巻き付け部に巻き付けておくことができ、コードが絡んだり、コードの先端に接続されているもの、例えば、ヘッドホンハウジング等が振られるという不都合を回避することができる。
【００５０】
前記した実施の形態において、主面部３１と２つの保持腕３２、３３によって電子機器本体２を着脱可能に保持する保持部が構成されることとした。このような保持部とすることによって、安定した電子機器本体の保持が可能であるが、例えば、２つの保持腕のみで保持部を構成しても良い。また、保持部の構成は前記実施の形態で示したもの以外であっても構わない。例えば、バネ等を利用した可動部を開閉させて電子機器本体を保持するものであっても構わない。
【００５１】
前記した実施の形態において、自立用脚３７を自立位置へと移動させた場合、スタンド３の自立用脚３７の下端と下側保持腕３３の連結部３３１の２点が載置面４に接触して自立するようになっている（図７参照）が、保持部の構成によっては、自立用脚と電子機器本体の下端部とが載置面に接触して自立するようにしても良い。
【００５２】
前記実施の形態において、コード巻き付け部３４は、手動でコードを巻き付けるようになっているが、バネを利用した自動巻き取りリールをコード巻き取り部の内部に装置し、自動的にコードを巻き取るようにしても良い。この場合、例えば、自立用脚の収納位置への移動によってリールが巻き取り方向に回転するようにバネを作用させるようにすることもできるし、あるいは、コードが引き出されている状態から、さらに少しコードを引き出すことによって、ロックが外れてコードが巻き取られるようにしても良い。
【００５３】
また、コード巻き付け部の内部等の適当な位置にスピーカーを設け、電子機器本体と接続するスピーカースタンドとして利用できるようにしても良い。
【００５４】
本発明電子機器用スタンドの実施可能な態様を以下の（１）〜（６）に示す。
【００５５】
（１）前記コード巻き付け部にはコードの脱落防止用のフランジが周縁部から突出され、前記自立用脚は、前記コード巻き付け部に収納位置と自立位置との間を移動可能に設けられると共に、収納位置において、前記フランジの一部を成すように位置する。
【００５６】
自立用脚は、不使用時に収納位置に収納されることによって、携帯や保管の時に自立用脚が邪魔になることがない。また、収納位置において、前記フランジの一部を成すように位置することによって、見栄えが良くなると共に、フランジと協働してコード巻き付け部に巻回されたコードの押さえとしても機能する。
【００５７】
なお、前記実施の形態では、自立用脚は、収納位置と自立位置との間で移動可能に設けられているが、自立位置を２以上として、使用者が好みの視認角度を選択することができるようにしても良い。
【００５８】
（２）前記保持部は電子機器本体の一側面に形成される係合溝に係合する係合突起と前記一側面と反対側の面の稜線に引っ掛かる突起とを有する。
【００５９】
これによって、ほぼ一動作で電子機器本体に取り付けることができ、しかも、構造が簡単で、コストを低減することができる。また、係合溝を有する面と反対側の面では、稜線に引っかけることで保持を可能にしているため、係合溝を形成する場合に比較して電子機器本体の内部スペースが小さくなることを回避することができる。
【００６０】
（３）前記（１）の実施態様において、前記自立用脚を自立位置に付勢する付勢手段を有する。
【００６１】
これによって、自立用脚が自立位置から不用意に移動してしまうことを回避することができる。
【００６２】
前記実施の形態においては、樹脂材料の弾性を利用した付勢部材３８を用いて、自立用脚の付勢やロックを行い、さらに、クリック感の創出も行っているが、金属の圧縮バネや捻じりバネを用いて自立用脚の移動に対するクリック感の創出や各位置でのロックを行うようにしても良い。
【００６３】
（４）電子機器本体の体裁面のみと接触するクッション材が設けられている。
【００６４】
クッション材が電子機器本体の体裁面のみと接触することによって、電子機器本体の保持が確実になり、しかも、電子機器本体に傷が付くことを回避することができる。
【００６５】
（５）前記コード巻き付け部にコード保持用切欠が形成されている。
【００６６】
コードをコード巻き付け部に単に巻き付けただけでは、巻き付けた先端部からほどけてしまうことがあるが、フランジ部にコード保持用切欠が形成されているので、コード先端部をコード保持用切欠に引っ掛けておけば、コードのコード巻き付け部からのほどけが防止される。
【００６７】
（６）前記（５）の実施態様において、前記コード保持用切欠が複数形成されている。
【００６８】
これによって、コードのより先端部に近い部分をコード保持用切欠に引っ掛けることができるので、コードのコード巻き付け部への巻き付けがより確実になる。
【００６９】
本発明電子機器は、電子機器本体に着脱可能なスタンドを備えた電子機器であって、前記スタンドは、電子機器本体を保持する保持部と、自立用脚と、コード巻き付け部とを備える。
【００７０】
スタンドを保持部によって電子機器本体に装着することができるため、携帯や収納時に電子機器本体とスタンドとがバラバラになってしまうことがなく、必要なときにスタンドを使用して自立させることができる。また、コード巻き付け部を備えているため、携帯や収納時にヘッドホン等のコードをコード巻き付け部に巻き付けておくことができ、コードが絡んだり、コードの先端に接続されているもの、例えば、ヘッドホンハウジング等が振られるという不都合を回避することができる。
【００７１】
前記した実施の形態において、スタンドは、主面部３１と２つの保持腕３２、３３によって電子機器本体２を着脱可能に保持する保持部が構成されることとした。このような保持部とすることによって、安定した電子機器本体の保持が可能であるが、例えば、２つの保持腕のみで保持部を構成しても良い。また、保持部の構成は前記実施の形態で示したもの以外であっても構わない。例えば、バネ等を利用した可動部を開閉させて電子機器本体を保持するものであっても構わない。
【００７２】
前記した実施の形態において、自立用脚３７を自立位置へと移動させた場合、スタンド３の自立用脚３７の下端と下側保持腕３３の連結部３３１の２点が載置面４に接触して自立するようになっている（図７参照）が、保持部の構成によっては、自立用脚と電子機器本体の下端部とが載置面に接触して自立するようにしても良い。
【００７３】
前記実施の形態において、コード巻き付け部３４は、手動でコードを巻き付けるようになっているが、バネを利用した自動巻き取りリールをコード巻き取り部の内部に装置し、自動的にコードを巻き取るようにしても良い。この場合、例えば、自立用脚の収納位置への移動によってリールが巻き取り方向に回転するようにバネを作用させるようにすることもできるし、あるいは、コードが引き出されている状態から、さらに少しコードを引き出すことによって、ロックが外れてコードが巻き取られるようにしても良い。
【００７４】
また、コード巻き付け部の内部等の適当な位置にスピーカーを設け、電子機器本体と接続するスピーカースタンドとして利用できるようにしても良い。
【００７５】
本発明電子機器の実施可能な態様を以下の（１）及び（２）に示す。
【００７６】
（１）電子機器本体は、その上面及び下面の一方に係合溝が形成されており、前記スタンドの保持部は、上下に離間した位置から同じ方向へ突出した２つの弾性を有する腕片を備え、前記腕片の一方に電子機器本体の係合溝と係合する係合突起が形成され、前記腕片の他方の先端部に電子機器本体の前側稜線又は後側稜線と係合する突部が形成されている。
【００７７】
これによって、スタンドをほぼ一動作で電子機器本体に取り付けることができ、しかも、構造が簡単で、コストを低減することができる。また、係合溝を有する面と反対側の面では、稜線に引っ掛けることで保持を可能にしているため、係合溝を形成する場合に比較して電子機器本体の内部スペースが小さくなることを回避することができる。
【００７８】
（２）前記（１）の実施態様において、前記係合溝は、該係合溝が形成される面を前後に分ける中心線上に形成され、さらに、前記係合溝が形成される面と反対側の面はほぼ前後対称の形状を有する部分を備える。
【００７９】
これによって、スタンドを電子機器本体の後側及び前側の双方から装着することができる。従って、スタンドを電子機器本体の後側に装着したときは、自立のためのスタンドとして使用することができ、そして、電子機器の前側に装着したときは、電子機器本体の前面の保護カバーとして使用することができる。
【００８０】
なお、前記した「係合溝が形成される面と反対側の面はほぼ前後対称の形状を有する部分を備える」とは、当該面の全面に亘って前後対称でなくとも、少なくとも一部、すなわち、スタンドの突部が係合される稜線を有する範囲において、例えば、中央部において、前後対称となっていればよいということである。
【００８１】
なお、本発明電子機器用スタンド及びスタンドを備えた電子機器は、前記した実施の形態及び実施態様以外の実施態様で実施されることを妨げるものではない。すなわち、前記した実施の形態において示した各部の形状及び構造は、何れも本発明を実施するために行った具体化のほんの一例を示したものにすぎず、これらによって本発明の技術的範囲が限定的に解釈されることがあってはならないものである。
【図面の簡単な説明】
【００８２】
【図１】図面は本発明電子機器用スタンド及びスタンドを備えた電子機器の実施の形態の一例を示すものであり、本図は電子機器本体とスタンドを分離して示す概略斜視図である。
【図２】電子機器本体とスタンドを分離した状態を図１と反対側から見て示す概略斜視図である。
【図３】電子機器本体の外筐のみを正面中央断面で示す図である。
【図４】電子機器本体にスタンドを装着し、自立用脚を自立位置へと回動させた状態を示す概略斜視図である。
【図５】図６と共にスタンドを電子機器本体に装着する様子を示す一部切欠側面図であり、本図は装着途中の状態を示すものである。
【図６】装着が完了した状態を示すものである。
【図７】スタンドの自立用脚を利用して電子機器を自立させた状態を示す側面図である。
【図８】スタンドの主面を後方から見て示す概略斜視図である。
【図９】フランジ部と自立用脚と付勢部材とを分離して示す概略分解斜視図である。
【図１０】付勢部材を後方から見て示す斜視図である。
【図１１】自立用脚が収納位置にある状態での自立用脚と付勢部材との関係を示す要部の正面図である。
【図１２】図１１のＸＩＩ−ＸＩＩ線に沿う断面図である。
【図１３】自立用脚が自立位置にある状態を図１１のＸＩＩ−ＸＩＩ線に沿う位置で示す断面図である。
【符号の説明】
【００８３】
１…スタンドを備えた電子機器、２…電子機器本体、２１ｃ…中心線、２１２…下面（一側面）、２１２ａ…係合溝、２１３…上面（一側面と反対側の面）、２１３ａ…前側稜線部（前側稜線）、２１３ｂ…後側稜線部（後側稜線）、２１４ａ…前後対称の形状を有する部分（体裁面）、２１５ａ…前後対称の形状を有する部分（体裁面）、３…電子機器用スタンド、３１・３２・３３…保持部、３１…主面部、３１１…クッション材、３２…上側保持腕、３２２…引っ掛け突起（突起）、３３…下側保持腕、３３２…係合突起、３４…コード巻き付け部、３５…フランジ部、３５１…コード保持用切欠、３７…自立用脚、３８２…弾発腕（付勢手段）
【図１】
2008227180.tif 000003
【図２】
2008227180.tif 000004
【図３】
2008227180.tif 000005
【図４】
2008227180.tif 000006
【図５】
2008227180.tif 000007
【図６】
2008227180.tif 000008
【図７】
2008227180.tif 000009
【図８】
2008227180.tif 000010
【図９】
2008227180.tif 000011
【図１０】
2008227180.tif 000012
【図１１】
2008227180.tif 000013
【図１２】
2008227180.tif 000014
【図１３】
2008227180.tif 000015